(57)【特許請求の範囲】
【請求項１】
電気部品の端子を電気的に接続するために導電性配線パターンを形成してなる回路基板において、
前記電気部品の端子を電気的に接続するためのランドと、  前記ランドを有する本配線と、
前記本配線から分岐する、第1分岐配線及び第2分岐配線を有し、前記第1分岐配線及び、前記第2分岐配線は、前記本配線と前記ランドを挟むように配線することを特徴とする回路基板。
【請求項２】
前記第1あるいは第2分岐配線は前記ランドから別方向の本配線上の所定の距離離れた位置からそれぞれが分岐するように配置されていることを特徴とする請求項１記載の回路基板。
【請求項３】
前記本配線と前記第1あるいは第2分岐配線の間に前記回路基板を貫通する空隙部を配置することを特徴とする請求項1または２記載の回路基板。
【請求項４】
前記空隙部を前記第1あるいは第2分岐配線の端部に配置することを特徴とする請求項３記載の回路基板。
【請求項５】
前記第1あるいは第2分岐配線は前記本配線よりも幅が小さいことを特徴とする請求項１から４記載の回路基板。
【請求項６】
電気部品の端子を電気的に接続するために導電性配線パターンを形成してなる回路基板において、
前記電気部品の端子を電気的に接続するためのランドと、
前記ランドを有する本配線と、
前記本配線を本配線パターンと第1分岐配線パターン及び第2分岐配線パターンに画する切りかきパターンとを有し、
前記第1及び第2分岐配線パターンは、前記ランドと前記本配線パターンを挟む位置に前記切りかきパターンを設けたことを特徴とする回路基板。
【請求項７】
前記切りかきパターンに前記回路基板を貫通する空隙部を配置することを特徴とする請求項６記載の回路基板。
【請求項８】
前記本配線パターンは、前記第1あるいは第2分岐配線パターンよりも幅が大きいことを特徴とする請求項６または７記載の回路基板。
【請求項９】
電気負荷を動作させるために前記請求項１から８のいずれかに記載の回路基板を内蔵してなる電気機器。
【発明の詳細な説明】
【技術分野】
【０００１】
本発明はプリント配線するための電気回路の基板および該回路基板を備えてなる電気（電子）機器に関する。
【背景技術】
【０００２】
商用電源を利用する電気機器としては、各種電気製品が存在する。例えば、電気機器としては、家庭用の電子レンジ、電気冷蔵庫、テレビジョン、扇風機、エアコン（空気清浄機を含めた空調機器等）、電熱器具、燃焼機器等の電化製品を含め、一般企業で利用されるパーソナルコンピュータ（ＰＣ）、複写機、ファックス、プリンタ等の各種機器が存在する。
【０００３】
商用電源としては、実行電圧１００Ｖ、２００Ｖ等の単相の交流電源、また誘導電動機等を利用したプレス機器等、三相交流電源等が一般的に利用されている。
【０００４】
そのような交流電源を利用する電気機器については、モータやニクロム線、マグネトロン、制御回路基板等の負荷に電圧を供給しており、この供給電圧としては、変圧器等を用いて、昇圧、また降圧させて電圧変換した交流のまま利用するもの、また交流を一旦整流、つまり直流に変換して利用するようにしている。そのため、電源プラグをコンセントに結合し、そのプラグのコードを介した反対側の端部、つまり電気機器側は、ＡＣ電源を直流、また交流で利用するための電源用の電気回路基板に接続される。
【０００５】
その電源用の回路基板は、各種電気（電子）部品を電気的に接続するための配線パターン、該パターンに半田付けを行うための各ランドが設けられ、そのランドに電気部品の各端子が半田付けされる。このような電源用の回路基板については、アンペアー（Ａ）オーダの大きな電流が流れるのが一般的である。そのため、半田付け不良が生じると、その部分の電気的な接触が安定せず、アーク放電等が生じ、その放電による発熱で、その半田付け部分の基板が炭化し、燃焼し、発火することで基板全体へと延焼することが考えられる。
【０００６】
通常、電気機器の出荷前には、製造メーカ側での品質管理、その他ＰＬ法の観点から、その半田付け等の不具合については、十分な策か講じられ、そのような不具合のない回路基板が製品に搭載されているのが実状である。
【０００７】
しかしながら、電気機器を長年利用することで、経年変化、振動等により半田付け部分で、電気部品の端子と半田クラック（剥がれ）が生じることがある。そのため、そのようなおそれを予測し、ある機器については、タイムスタンプ等を利用し、例えば１０年を目途に、１０年を超えた電気機器については一定のメンテナンス、例えば大電流が流れる回路基板の交換等を行わなければ、使用不可能とするような提案もなされている。
【０００８】
また、電源回路基板において、リーク等による発熱、発火等を未然に防ぐようにしたものが、例えば特許文献１（実開平５−５３２５９号公報（実願平３−１０３００１号））に提案されている。これは、例えば電源回路基板のＡＣコネクタ部分に、ブラウン管に結露した結露水が滴下し、リーク等により、回路基板が発熱、発火するのを防止するために、ＡＣ電源の異極間にスリットを形成するものである。このように構成することで、結露水が落下（滴下）した場合、スリットを介して、回路基板の下部に落下するため、ＡＣ電源の異極間でリーク等が生じるのを防止でき、発熱、発火を防止するようにしている。
【０００９】
しかし、特許文献１においても、例えば経年変化、振動等によりＡＣ電源のコネクタ部の半田付け部分でクラック等を生じ、接触不良を生じることが予測できる。しかし、そのような接触不良で生じるアーク放電による発熱、発火等は、上記異極間にスリットを設けるだけでは防止できず、結果として基板が延焼するといったことまでは解消できない。
【００１０】
これに対し、特許文献２（特開平３−１４８０号公報）には、半田付け部分のクラックにより、その部分での発熱、発火、さらに回路基板の延焼を防止する技術が開示されている。これは、電源回路基板におけるランド部分の配線パターンの周囲を沿うようにして、電源回路の配線パターンとは別の発熱検出用のチェック用パターンを設けることが開示されている。このチェック用パターン（配線）の両端を検出端子としている。そのため、クラック等によるアーク放電が生じ、その部分が発熱、発火することで、上記チック用パターンが断切されるのを利用し、発火状態を検知している。この検知に基づいて、電源供給を遮断するようにしている。
【先行技術文献】
【特許文献】
【００１１】
【特許文献１】実開平５−５３２５９号公報（実願平３−１０３００１号）
【特許文献２】特開平３−  １４８０号公報
【発明の概要】
【発明が解決しようとする課題】
【００１２】
上述した特許文献１記載の発明によれば、電源回路基板の結露に起因する発熱、発火を防止することが可能となる。しかし、電源回路基板の配線パターンにおける半田付け部分（ランド部分）のクラックにより生じるアーク放電に起因する発熱、発火、回路基板の延焼を防ぐことは困難となる。また、電源回路基板にスリットを設けることにより、基板の強度が損なわれるという問題点がある。
【００１３】
この点、特許文献２によれば、半田付け部分のクラックによる発熱、発火を検出し、延焼する前に、電源供給を絶つことが可能となる。その結果、アーク放電を絶ち、延焼を抑えることが開示されている。しかし、発火対象の配線パターンは一時側配線パターンである場合が多く、チェック用パターンとは、相当の絶縁距離が必要となる。そのため、基板が発火すれば延焼は、発火配線パターンと必要な絶縁距離を隔てたチェック用パターンが断線するまで継続し、発火を検出した時点では、基板燃焼が拡大している。
【００１４】
そのため、いずれの特許文献１、２に記載の発明についても、基板が発火し、その延焼を解消することはできておらず、相当数の電気部品が配置されている基板において延焼があった場合、他の部品にも延焼してしまうという問題がある。
【００１５】
また、以上説明したように、電気機器の経年変化、振動等による半田付け部分のクラックが生じた場合の発火、延焼について説明したが、これらに限らず、半田付けの不良により生じるもの全般において、上述したような不具合が生じることになる。
【００１６】
本発明は、以上のような問題点を解消するためになされたものであって、アーク放電等による発熱により発火した場合、基板の損失を抑制することができる回路基板を提供することを目的としている。
【００１７】
また、本発明の目的は、例えば電源回路基板を備える電気機器において、電源回路基板の延焼による損失を抑制することで、電気機器本体への延焼を防止することである。つまり、本願発明は、上述した目的を達成することで、その電源回路基板を備える電気機器への延焼を防止することを目的とするものである。
【００１８】
以下に説明する本発明の回路基板は、特に電源回路を例に説明するが、このようものでなく、大きな電流を流す回路基板全般に適用できることは勿論である。
【課題を解決するための手段】
【００１９】
上述した課題を解決するため、電気部品の端子を電気的に接続するために導電性配線パターンを形成してなる回路基板において、前記電気部品の端子を電気的に接続するためのランドと、前記ランドを有する本配線と、前記ランドに対応して前記本配線から分岐する分岐配線を有することを特徴とする回路基板を提供する。
【００２０】
このように、ランドを有する本配線から分岐する分岐配線を設けることによって、半田付けのクラックによりランドから生ずる回路基板の延焼を可燃物の少ない方向に操作し、延焼の拡大を防止することができる。
【００２１】
また、分岐配線はランドの両側に配置することによって、ランドから同心円状に広がる延焼を確実に防止することができる。
【００２２】
また、本配線と分岐配線の間に回路基板を貫通する空隙部を配置することによって、空隙部に延焼が達したときにそこで燃焼が食い止められ、燃焼状態が鎮静化、つまり鎮火し、消火させることができ、該空隙部を分岐配線の端部に配置することによって、延焼が拡大することをより確実に防止することができる。
【００２３】
また、分岐配線の幅を本配線の幅よりも小さくすることで配線の配置する部分を少なくすることができ、基板を小型化することができる。
【００２４】
また、電気部品の端子を電気的に接続するために導電性配線パターンを形成してなる回路基板において、前記電気部品の端子を電気的に接続するためのランドと、前記ランドを有する本配線と、前記本配線を本配線パターンと分岐配線パターンに画する切りかきパターンとを有し、前記ランドに対応する位置に前記切りかきパターンを設けたことを特徴とする回路基板を提供する。
【００２５】
このようにすることによって、延焼防止のための構造を本配線と別途に設ける必要がなく、延焼防止構造を意識せずに設計をすることができる。
【００２６】
また、切りかきパターンに基板を貫通する空隙部を配置するようにした。
【００２７】
また、本配線パターンの幅を分岐配線パターンの幅よりも大きくすることによって、よ
り大きい電流を流すことができる。
【００２８】
以上のような構成の回路基板は、供給される電力による動作する電気機器の回路基板として内蔵される。
【００２９】
従って、回路基板側、特に電源供給部分の大きな電流が流れる回路基板側で、半田付け部分でのクラックが生じ、発熱、燃焼しても、回路基板の延焼を抑制することが可能となる。
【発明の効果】
【００３０】
以上説明した構成の回路基板によれば、回路基板の半田付け部分でクラック等が生じた場合、回路基板の延焼を抑制することが可能となる。
【図面の簡単な説明】
【００３１】
【図１】本発明にかかる回路基板を配線パターン側から目視した平面図。
【図２】本発明にかかる回路基板に電気的に各種電気部品が接続される回路構成を示す回路図。
【図３】本発明にかかる回路基板において、半田付けするランド部分に対応して形成される分岐配線の一例を説明するための図。
【図４】本発明における回路基板において、半田付けするランド部分に対応して形成される分岐配線の他の例を説明するための図。
【図５】本発明における回路基板において、半田付けするランド部分に対応して形成される分岐配線の他の例を説明するための図。
【図６】本発明における回路基板により延焼抑制する順序を説明するための図。
【図７】本発明における回路基板において、半田付けするランド部分に対応して形成される分岐配線の他の例を説明するための図。
【図８】本発明における回路基板により延焼防止する順序を説明するための図。
【図９】本発明における回路基板において、半田付けするランド部分に対応して形成される分岐配線の他の例を説明するための図。
【図１０】本発明における回路基板において、半田付けするランド部分に対応して形成される分岐配線の他の例を説明するための図。
【図１１】本発明における回路基板において、半田付けするランド部分に対応して形成される切りかきパターンを説明するための図。
【図１２】本発明における回路基板において、半田付けするランド部分に対応して形成される切りかきパターンの他の例を説明するための図。
【図１３】本発明における回路基板において、半田付けするランド部分に対応して形成される切りかきパターンの他の例を説明するための図。
【図１４】従来の回路基板において延焼状態に至る順序を説明するための図。
【図１５】従来の回路基板において同極トラッキングにより延焼する状況を説明するための図。
【図１６】従来の回路基板において異極間トラッキングにより延焼する状況を説明するための図。
【発明を実施するための形態】
【００３２】
以下、図面を参照しながら本発明による実施の形態を説明する。本発明の電気回路基板の一例を図１および図２に示す。この図１、図２は、一例として電源回路基板を例に、図示したものである。
【００３３】
通常、電気（電子）機器は、電源（電力）の供給を受けることで、図示しない制御部の制御によりユーザが所望する動作、制御を実現させている。例えば、洗濯機においては、電力供給線であるコード先端のプラグを、１００Ｖ（実行電圧）のＡＣコンセントに差し込むことで、洗濯機本体の電源スイッチを操作（ＯＮ）し、目的の洗濯プログラムを選択操作すれば、例えば自動で脱水を含めた洗濯動作を開始する。
【００３４】
以上のような電気機器については、なにも洗濯機に限るものではなく、家庭に設置される各種の電気製品全てにおいて同様で、以下に説明する本発明の回路基板を備えることで、電源の供給が行える。また、家庭用の電気機器だけでなく、企業において電気を利用する製品、例えば複写機、プリンタ、ＰＣ等、電力供給を受けて動作する電気機器全てが対象となる。
【００３５】
以上のような電気機器においては、電力供給を受けるためのコードが、電源回路基板に接続される。この回路基板としては、電気機器の種類に応じて、ＡＣ電圧を昇圧、降圧させる変圧器等の電気（電子）部品等が接続されている。また、ＡＣでなく、電気機器がＤＣ（直流）で動作する場合には、交流を直流に変換するための整流器等の電気部品が、さらにＡＣ及びＤＣを必要とする場合には、それぞれに必要となる電気部品がそれぞれ接続される。これは周知の技術である。
【００３６】
図２に示す電源供給のための回路は、各種電気部品を回路基板１上（表面）に設け、各端子を回路基板１の裏面に挿通し、裏面に形成された配線パターンを介して接続される。この回路基板１は、電気機器として交流を直流に変換したＤＣ電圧を利用する場合を例にしたものである。ＡＣ（１００Ｖ）電源（コンセント）１４に、差込まれたプラグから電気コード１６を介して電源回路基板１に電源が供給される。
【００３７】
上記電源コード１６の他端（プラグと反対側）は、結合コネクタ（図示せず）が接続されており、これが電気機器の電源回路基板１に設けられているＡＣ入力コネクタ２に、着脱可能となり、結合させることで電源を回路基板１に供給している。
【００３８】
この回路基板１の入力側と反対側には、出力コネクタ９が設けられており、該コネクタ９に電気機器の負荷１５にＤＣ電圧を供給する供給線１７に設けられている受けコネクタ（図示せず）と結合されるようになっている。そのため、回路基板１は、それぞれの入出力用のコネクタ２、９と相手側の両コネクタを取外すことで、簡単に取外しが行え、回路基板の取替え、メンテナンス等が簡単に行えるようになっている。
【００３９】
この回路基板１の一方の面（裏面）には、図１に示すように各種電気部品を接続するための銅箔（銅板）等で形成された配線パターン１０が形成されている。この配線パターン１０に、反対面側より各種電気部品の端子が、それぞれの配線パターンに対応して形成された貫通孔を介して挿入され、その貫通孔に対応させた半田付け部分（ランド）１１が形成されている。この配線パターン１０のランド１１に挿入された電気部品の端子を半田付けすることで電気的な接続がなされる。上記ランド１１は、図において円形状で示しており、その円状の部分に半田付けがなされる。
【００４０】
この図１に示す回路基板１の配線パターン１０を介して各電気部品が、電気的に接続される回路構成について図２を参照して以下に説明する。図に示すように、ＡＣ電源の入力部となるＡＣ入力コネクタ２の一端側は、電流ヒューズ３の一端が配線パターン１０を介して接続されている。この電流ヒューズ３の他端は、ノイズ除去用のコンデンサ４ａの一端側に接続され、ノイズ除去用コンデンサ４ａの他端は、ＡＣ入力コネクタ２の他端側に接続されている。
【００４１】
上記ノイズ除去用コンデンサ４ａの両端は、チョークコイル５の一方の端子にそれぞれ接続されており、該チョークコイル５の他端側は、ノイズ除去用コンデンサ４ｂの各端子に接続されている。ノイズ除去用コンデンサ４ｂの両端は、全波整流器を構成するダイオードブリッジ６の入力端子側に接続されており、該ダイオードブリッジ６の出力端子側は、並列に平滑用電解コンデンサ７が接続されている。この平滑用電解コンデンサ７と並列に、さらにノイズ除去用コンデンサ４ｃ、および平滑用電解コンデンサ７の電荷を放電させるための放電抵抗８が接続されている。
【００４２】
上記平滑用電解コンデンサ７にて平滑化された直流成分の電圧（ＤＣ）は、出力コネクタ９および供給線１７を介して電気機器の負荷１５、たとえば直流電動機（モータ）等に供給される。
【００４３】
なお、上記放電抵抗８は、電気負荷９が何らかの原因でオープン状態になったときに、平滑用電解コンデンサ７に充電された電荷を放出、つまり充電電荷を放出させるために接続されている。
【００４４】
図２に示した電源回路を構成する各種電気部品のそれぞれを、電気的に接続するために、電源回路基板１には、先に説明したように図１に示すような配線パターン１０が形成されている。この配線パターン１０は、周知の技術に基づいて形成されており、各電気部品の端子を配線パターン１０に電気的に接続するために、半田付け用のランド１１がそれぞれ形成されている。
【００４５】
図１において、先に説明したように円形部分が半田付けのための各ランド１１であって、その領域にのみ半田付けされるようになっている。その他の部分は、半田が付着しないように、絶縁材料等で印刷（コーティング）されている。また、図１の破線で示す矩形、楕円部分は、上述した各種電気部品を示しており、その各電気部品を同一符号で付しているとおりであり、回路基板１本体は、樹脂性の絶縁部材等で構成されている。
【００４６】
本発明における回路基板１は、ランド１１部分でクラックが生じた時のアーク放電等で、その部分が発熱し、絶縁性の樹脂性回路基板１が炭化し、電源供給が継続することで燃焼し、これが回路基板１を通じて延焼するのを防止するために、各ランド１１に対応させて後述する分岐配線１８、切りかきパターン２２及び空隙部１９が形成されている。
【００４７】
分岐配線１８、切りかきパターン２２、空隙部１９は、全てのランド１１部分に対応して設けられるものではなく、特に大きな電流が流れる回路部品の端子のランド部分に対応させて形成されている。
【００４８】
例えば、図２に示すように、電源回路の各電気部品に大きな電流が流れる部分を矢印１３で示しており、クラック等によりアーク放電等が生じると思われる部分である。この電源回路においては、ノイズ除去用コンデンサ４ａ〜４ｃには、電流がほとんど流れず、数ｍＡ、またはμＡオーダの電流が流れる程度である。その他の電気部品については、大電流（数百ｍＡ〜Ａオーダー）が流れる。
【００４９】
従って、電気回路を構成する一つの電気部品の端子が、半田付け部分（ランド部分）で何らかの要因、例えば振動等によりクラック等が生じると、半田部分と端子間、また配線パターン１０と電気部品の端子間での接触不具合、不良によりアーク放電が生じる。この放電による火花等で、その部分の基板が炭化し、その後に燃焼し、基板１を伝って延焼するといった経緯をたどることが予測される。
【００５０】
そのため、大電流が流れる電気部品に対応するランド１１部分に、上述した分岐配線１８、切りかきパターン２２、空隙部１９が適所に形成される。
【００５１】
（分岐配線）
図３を用いて上記分岐配線１８について詳細に説明する。分岐配線１８a、１８ｂは、ランド１１部分を有する本配線１０から分岐し、ランド１１部分に対応するように形成されている。
【００５２】
対応するようにとは、ランド１１部分一つに対し、該ランド１１部分からの延焼を抑制するように少なくとも一つの分岐配線１８が配置されているということである。
【００５３】
また、分岐配線１８a、１８ｂはランド１１部分から所定距離離れた点を分岐点Ａ、Ｂとして該分岐点Ａ、Ｂから本配線１０と分岐している。分岐配線１８ａ、１８ｂは本配線１０を挟んで、本配線１０と平行に配置されており、幅は本配線１０と同じ大きさであって、分岐点から延長されている向きは逆方向となっている。分岐配線１８が延長される長さは、ランド１１部分の中心位置に到達する長さまで延長されていることが望ましい。
【００５４】
ただし、分岐配線１８が延長される方向は他の電気部品との配置によって決定されるため、逆方向に限られるわけではなく、図４に示すように同方向であっても良く、ランド１１部分から分岐点Ａ、Ｂまでの距離は延焼が同心円状に広がるため、等距離であることが好ましいが、部品の配置によって分岐配線１８ａ、１８ｂの長さは異なっても良い。
【００５５】
なお、図５に示すように本配線１０が回路基板１の基板端部１ａ近くに形成されているような場合、端部１ａの方向には延焼する可能性はないことから、分岐配線１８は本配線１０を挟んで基板端部１ａの反対側である片方のみに配置してもよい。
【００５６】
（延焼抑制の原理）
以上説明したように本発明による電源回路基板１は構成されている。以下に、本発明の回路基板１の作用、つまり基板の炭化、燃焼に至る経緯、また燃焼が抑制される原理等を説明する。
【００５７】
まず図１４において、上述した本発明における回路基板１の構成ではなく、分岐配線１８が形成されていない従来の回路基板の場合による延焼に至るまでの経過（流れ／フロー）を説明する。また、図１４等で示した符号については、本発明の回路基板１と同一部分を同一符号で示している。
【００５８】
まず、図１４に示すように、ステップＳ１１において、経年変化や振動等によりランド１１部分で半田にクラックが生じると、そのクラック部分でアーク放電３０が発生する。これが継続すると、ステップＳ１２に進み、アーク放電３０により、基板自身の炭化３１が生じ、如いてはランド１１部分で燃焼が始まる。これにより、炭化燃焼が進み、ステップＳ１３へと推移し、炭化部分が徐々に大きくなり、炭化燃焼が拡大し、基板１が燃え尽きた部分に大きな穴３２が空く。それが継続し、ついにはステップＳ１４へと推移し、これが原因で基板１全体に延焼していく危険に晒される。
【００５９】
このように、炭化燃焼が拡大し、回路基板１を通じて延焼すれば、対応したランド１１部分での配線が断線し、電源供給、つまり電流が流れなくなっても燃焼状態を消火しない限りは、燃焼、発火を鎮火させることはできない。また炭化した部分が導電性となり、他の配線間パターンとの間で導通すると、さらに炭化、燃焼に油を注ぐ結果ともなり、延焼が拡大化していく。これに起因して、電気機器の発火等が懸念されることにもなる。
【００６０】
一方、本発明の回路基板１の構成における作用を図６に沿って説明する。
【００６１】
まず、図６のステップＳ１においては、従来同様に何らかの原因による半田付けのランド１１の部分でクラックが生じると、アーク放電３０が発生する。これにより、ステップＳ２へと推移し、基板１の炭化３１が生じ、ランド１１部分で燃焼を開始する。ここまでは、図１３のステップＳ１１、Ｓ１２と同様である。
【００６２】
次に、炭化燃焼がランド１１部分を中心に同心円状に広がり、ステップＳ３へと推移すると、これが分岐配線１８ａ、１８ｂまで達する。
【００６３】
そして、炭化燃焼が分岐配線１８ａ、１８ｂまで達するとステップ４へ推移し、回路基板１の炭化燃焼が矢印のように、分岐配線１８ａ、１８ｂに沿って開放端方向へ進行する。
【００６４】
ここで本配線１０と分岐配線１８間の間隔は狭く、トラッキング時の燃焼電力（インピーダンスが小さい）が小さいため、分岐配線１８には延焼しない。
【００６５】
また、本配線１０と分岐配線１８間は同極になっているので、閉塞端方向（分岐点がある方向）では放電等が発生しないため、延焼は閉塞端方向には進行しない。
【００６６】
また、本配線１０が断線するまで延焼が広がれば、本配線１０と分岐配線１８（銅箔）と基板１を共に燃焼させるよりも、基板１のみのほうが燃焼しやすいため、分岐配線１８に沿って燃焼が進行する。
【００６７】
以上説明したように、本発明の回路基板１によれば、分岐配線１８を設けることによって、例えば半田付け不良によるアーク放電が生じ、これによる基板の炭化、燃焼が生じても、これの延焼方向を変えることができ、可燃物の少ない方向に延焼させることによって、回路基板１の延焼を抑制することができる。
【００６８】
また、本発明によれば、分岐配線１８を回路基板１の適所、特に配線パターン１０に沿って、半田付け部分のランド１１に対応する位置に設けるといった非常に簡単な構成により、炭化燃焼を抑制する効果を奏する。そのため、発火を検出するといった特別な回路構成を、別途設ける必要もなく、かつ電源供給を電気的に遮断させるような制御回路も必要としない。
【００６９】
（本発明の第二の実施の形態）
本実施形態はランド部分に対応した位置に分岐配線を設ける点において第一の実施形態と同様であるが、本配線と分岐配線の間に回路基板を貫通する空隙部を有する点で異なる。
【００７０】
第一の実施形態に係る発明では、延焼方向を変えて、延焼を抑制することは可能であるが、延焼を完全に鎮火することは難しい。
【００７１】
そこで、本実施形態では図７に示すように本配線１０と分岐配線１８ａ、１８ｂの間に回路基板１を貫通する空隙部１９ａ、１９ｂを設置した。空隙部１９ａ、１９ｂはランド１１部の中心を通る破線Ｌと分岐配線１８ａ、１８ｂの終端部１８ｃ、１８ｄとの間に配置されていることが望ましい。
【００７２】
本実施形態に係る発明の作用を図８を用いて説明する。図８において、ステップＳ１からステップＳ４までは図６と同様である。最終ステップであるステップＳ５では、分岐配線１８ａ、１８ｂに沿って延焼するが、延焼が本配線１０と分岐配線１８ａ、１８ｂの間に配置された空隙部１９ａ、１９ｂに達すると、そこで延焼が鎮火され、それ以上延焼が広がることを防止することができる。
【００７３】
ここで、燃焼した部分が途中で、回路基板１下部に落下するような場合、これを受けるために回路基板１の下部に不燃性の部材、例えば金属板等を受け皿として電気機器の底面に設けるようにすればよい。これにより、燃焼した燃えかす等の落下物に起因した、他への延焼を防止でき、しいては電気機器内の発火、延焼を防止できる。
【００７４】
このように、本実施形態の発明によれば延焼の方向を操作し、他の可燃部品に延焼が到達するのを防ぐとともに、延焼を鎮火させることができるので、ごく小範囲で延焼を抑えることができる。
【００７５】
また、図９に示すように空隙部１９ａ、１９ｂを分岐配線１８ａ、１８ｂの終端部１８ｃ、１８ｄ付近に設けることにより、ランド１１部分と空隙部１９ａ、１９ｂとの距離を長く取れるため、たとえランド１１部分で発生した延焼が広く広がったとしても、延焼をより確実に防ぐことができる。
【００７６】
また、本発明において分岐配線１８ａ、１８ｂの太さは特に制限されるものではないが、図１０に示すように分岐配線１８ａ、１８ｂを本配線１０の幅よりも小さくすることで、隣り合う配線間の距離を小さくすることができ、回路全体を小型化することができる。
【００７７】
（本発明の第三の実施の形態）
本実施形態はランド部分に対応した位置に延焼防止構造を配置する点において第一の実施形態と同様であるが、分岐配線を設けず、本配線の一部に切りかきパターンを有する点で異なる。
【００７８】
本実施形態に係る発明を図１１に基づいて説明する。本実施形態では、ランド１１部分を有する本配線１０と、本配線１０を本配線パターン２１と分岐配線パターン２０ａ、２０ｂに分離する切りかきパターン２２ａ、２２ｂをランド１１部分に対応して有する。
【００７９】
対応するようにとは、ランド１１部分一つに対し、該ランド１１部分からの延焼を抑制するように、少なくとも一つの切りかきパターン２２が配置されているということである。
【００８０】
本実施形態に係る発明の作用は図５において説明した第一の実施形態に係る発明と同様であり、ランド１１部分からアーク電流に起因する燃焼が始まり、本配線パターン２１を延焼した後、分岐配線パターン２０ａ、２０ｂに延焼が到達すると、該延焼は分岐配線パターン２０ａ、２０ｂに沿って延焼が進行するようになるため、第一の実施形態に係る発明と同様、延焼の方向を操作でき、他の可燃部品への延焼を抑制することができる。
【００８１】
切りかきパターンはランド１１部分から所定距離離れた点を切りかき開始点Ｃ、Ｄとして該開始点Ｃ、Ｄから本配線パターンと分岐配線パターンを分離している。切りかきパターンは本配線パターンを挟んで、本配線パターンと平行に配置されている。
【００８２】
切りかきパターン２２ａ、２２ｂによって分離される本配線パターン２１と分岐配線パターン２０ａ、２０ｂの幅は特に限定されるものではないが、分岐配線パターン２０ａ、２０ｂよりも本配線パターン２１の幅が大きいほうが、大電流を流すことができるということから好ましい。
【００８３】
また、切りかきパターン２２ａ、２２ｂが開始点Ｃ、Ｄから延長されている向きはそれぞれ逆方向となっているが、切りかきパターン２０ａ、２０ｂが延長される向きは他の電気部品との配置によって決定されるため、逆方向に限られるわけではない。
【００８４】
また、切りかきパターン２０ａ、２０ｂは開始点Ｃ、Ｄからランド１１部分中心に到達する長さまで延長されていることが望ましい。
【００８５】
なお、図１２に示すように、切りかきパターン２０ａ、２０ｂ上に回路基板１を貫通する空隙部１９ａ、１９ｂを設けることによって、空隙部１９ａ、１９ｂで延焼を鎮火させることができるため、より確実に回路基板１の延焼を防止することができる。
【００８６】
空隙部１９ａ、１９ｂは切りかきパターン２０ａ、２０ｂ上であって、ランド１１部の中心をとおる破線Ｌと切りかきパターン２０ａ、２０ｂの開始点Ｃ、Ｄとの間に配置されることが望ましい。
【００８７】
また、図１３に示すように本配線１０が回路基板１の端部１ａ近くに形成されているような場合、端部１ａの方向には延焼する可能性がないことから、切りかきパターン２２は端部１ａの反対側である本配線１０の片方のみに配置してもよい。
【００８８】
（配線パターンの形態の違いによる延焼状態）
なお、本発明による炭化燃焼、さらには、延焼を防止する本発明の回路基板１の効果をさらに検証するために、従来における炭化、燃焼、発火、さらには延焼する経過について、配線パターンの違いにより異なることを説明する。この点、本発明においては、このような配線パターンの違いに関係なく、炭化、燃焼、これによる延焼を防止することができる。
【００８９】
図１５は、図１４で説明したようにランド１１が形成された配線パターン１０の相手側、たとえば異極の配線パターンが存在しない状態における延焼経緯を説明するためのものである。これを、同極トラッキング状態での延焼状況として説明する。
【００９０】
まず、図１５におけるステップＳ１５は、図１４で説明したステップＳ１４と同様の状態である。
【００９１】
つまり、アーク放電を継続して引き起こすと、図１４のステップＳ１４に推移し、回路基板１の燃焼が広がり、図１５のステップＳ１５となる。ここで、燃焼３３により炭化３１した部分がランド周囲に大きく広がる。それがさらに広がるとステップＳ１６に示すように、配線パターン１０に沿って徐々に拡大していく。
【００９２】
これは、炭化３１した部分が導電路となり、配線パターン１０との間でアーク放電３０が繰り返される。このアーク放電３０は、配線パターン１０の一部が基板１の燃焼３３により燃え尽き、欠落したとしても、配線パターン１０の端部が、基板１の炭化した導電路（３１）を通じてアーク放電３０が再発し、このアーク放電３０が継続することになる。これにより、回路基板１の配線パターン１０に沿って広がる同極トラッキングを引き起こし、電力の供給源である電源方向へと進行していく（図１５では右側が電源の供給源側となる）。
【００９３】
これに対し図１６は、ランド１１を有する配線パターン１０に対し、異極の配線パターン１０Ａが隣接して存在するような場合、ランド１１の部分でのクラックにより炭化、延焼が生じる経過を示している。これは、異極トラッキングとして、以下に説明する。
【００９４】
図１６においては、先に説明したとおり、図１４のステップＳ１４以降の経過を示している。つまり、図１６においてステップＳ１５０で示すように、回路基板１の燃焼３３が広がった状態を示している。
【００９５】
その燃焼３３が広がり、ステップＳ１５１へと推移し、隣接する異極の配線パターン１０Ａ側に達する。この時点で、配線パターン１０Ａとの間で基板１が炭化３１した導電路を介して、ショートした格好になる。これにより、ステップＳ１５２に示すとおり、異極間トラッキングへと進行し、激しく発火し、回路基板１全体へと延焼する危惧がある。
【００９６】
この異極間トラッキングにおいては、先に説明した図１５に示す同極トラッキングに比べて短時間で進行していく。特に、異極の配線パターン１０Ａが、大きな電流が流れる配線パターン１０に隣接して形成されている場合である。
【００９７】
この点、本発明の回路基板１、つまり大きな電流が流れる配線パターン１０のランド１１に対応させて分岐配線１８または切りかきパターン２２を形成したことで、アーク放電により発熱、炭化燃焼が生じても、分岐配線１８または分岐配線パターン２０に沿って延焼が進行するように操作することができるため、上述した異極トラッキングが生じることを抑制することができる。
【００９８】
なお、本発明において、大きな電流としては、１Ａ以上であり、さらに１００Ｖ、０．１Ａ程度の電流が流れる場合にも、半田クラックによるアーク放電が生じ、上述したように炭化、炭化燃焼等が生じることを確認した。
【符号の説明】
【００９９】
１    回路基板
２    入力用コネクタ（電気部品）
３    電流ヒューズ（電気部品）
４    ノイズ除去用コンデンサ（電気部品）
５    チョークコイル（電気部品）
６    ダイオードブリッジ（電気部品）
７    平滑用電解コンデンサ（電気部品）
９    出力コネクタ（電気部品）
１０    配線パターン（本配線）
１１    ランド（半田付け部）
１２    スリット
１３    大電流の流れる経路
１４    商用電源
１５    負荷
１６    電気コード
１７    供給線
１８    分岐配線
１９    空隙部
２０    分岐配線パターン
２１    本配線パターン
２２    切りかきパターン
【図１】
0005559597.tif 000002
【図２】
0005559597.tif 000003
【図３】
0005559597.tif 000004
【図４】
0005559597.tif 000005
【図５】
0005559597.tif 000006
【図６】
0005559597.tif 000007
【図７】
0005559597.tif 000008
【図８】
0005559597.tif 000009
【図９】
0005559597.tif 000010
【図１０】
0005559597.tif 000011
【図１１】
0005559597.tif 000012
【図１２】
0005559597.tif 000013
【図１３】
0005559597.tif 000014
【図１４】
0005559597.tif 000015
【図１５】
0005559597.tif 000016
【図１６】
0005559597.tif 000017